(57)【要約】      （修正有）【課題】グレーティングのホームポジション探索に要する時間を短縮する。【解決手段】分光光度計は、光源、試料セル、光検出器、グレーティングとその駆動機構、ホームポジションセンサ及び制御部を備える。制御部は、グレーティングを所定位置に位置決めすると共に、ソフトウェア上で電源オフの入力がなされたとき分光光度計の電源をオフにする。制御部は、ソフトウェア上で電源オフの入力がなされたとき、グレーティングがホームポジションにあることをホームポジションセンサが検知するまでグレーティングを回転させる第１ホームポジション探索を行ない、その後、グレーティングを所定角度だけ一定方向へ回転させる退避動作を行ない、分光光度計の電源が投入されたとき、グレーティングがホームポジションにあることをホームポジションセンサが検知するまで第１ホームポジション探索より細かくグレーティングを回転させる第２ホームポジション探索を行なう。【選択図】図１
2018013412.tif 000002
【特許請求の範囲】
【請求項１】
光源と、
試料セルと、
前記試料セルを経た光を検出するための光検出器と、
前記光源からの光を前記試料セルに導く光学系を構成し、前記光源からの光を分光するグレーティングと、
モータの駆動により前記グレーティングを回転させるグレーティング駆動機構と、
前記グレーティングが予め設定されたホームポジションにあることを検知するホームポジションセンサと、
前記グレーティングを所定の位置に位置決めするように前記モータを駆動するとともに、ソフトウェア上で電源オフの入力がなされたときに当該分光光度計の電源をオフにするように構成された制御部と、を備え、
前記制御部は、さらに、ソフトウェア上で電源オフの入力がなされたときに、前記グレーティングが前記ホームポジションにあることを前記ホームポジションセンサが検知するまで前記グレーティングを回転させる第１ホームポジション探索動作を行ない、その後、前記グレーティングを所定角度だけ一定方向へ回転させる退避動作を行ない、当該分光光度計の電源が投入されたときに、前記グレーティングが前記ホームポジションにあることを前記ホームポジションセンサが検知するまで前記第１ホームポジション探索動作よりも細かく前記グレーティングを回転させる第２ホームポジション探索動作を行なうように構成されている分光光度計。
【請求項２】
前記制御部は、前記退避動作において、前記モータの励磁が切れたときに発生する前記グレーティングのずれ量を考慮した角度だけ前記グレーティングを回転させるように構成されている請求項１に記載の分光光度計。
【発明の詳細な説明】
【技術分野】
【０００１】
本発明は、液体クロマトグラフなどの分析装置の検出器として使用される分光光度計に関するものである。
【背景技術】
【０００２】
液体クロマトグラフ用の検出器として分光光度計が知られている。分光光度計の１つとして、光源からの光をグレーティングで分光し、分光された光のうち測定に用いる波長の光を試料セルに導いて、試料セルを経た光の強度を検出することにより、試料セル内の試料の吸光度を測定する分光光度計がある（特許文献１参照。）。
【０００３】
上記のような分光光度計では、グレーティングをモータによって駆動するようになっている。グレーティングを駆動するための原点位置としてホームポジションがあり、そのホームポジションをセンサによって検知し、そのホームポジションから所定のパルス数だけモータを駆動することで、グレーティングを所定位置に位置決めする。
【先行技術文献】
【特許文献】
【０００４】
【特許文献１】特開２００２−２０２１８９号公報
【発明の概要】
【発明が解決しようとする課題】
【０００５】
測定開始時にグレーティングのホームポジションを探索する必要がある。グレーティングのホームポジションはセンサによって検知することができるようになっているが、ホームポジションの正確な位置を見つけるためにはグレーティングを細かく（例えば、１パルスずつ）回転させる必要があり、ホームポジションの探索にある程度の時間を要し、その間は測定を開始できずに待機する必要があるため、測定をすぐに開始することができない。
【０００６】
そこで、本発明は、グレーティングのホームポジション探索に要する時間を短縮することを目的とするものである。
【課題を解決するための手段】
【０００７】
本発明に係る分光光度計は、光源と、試料セルと、前記試料セルを経た光を検出するための光検出器と、前記光源からの光を前記試料セルに導く光学系を構成し、前記光源からの光を分光するグレーティングと、モータの駆動により前記グレーティングを回転させるグレーティング駆動機構と、前記グレーティングが予め設定されたホームポジションにあることを検知するホームポジションセンサと、前記グレーティングを所定の位置に位置決めするように前記モータを駆動するとともに、ソフトウェア上で電源オフの入力がなされたときに当該分光光度計の電源をオフにするように構成された制御部と、を備えている。さらに、前記制御部は、ソフトウェア上で電源オフの入力がなされたときに、前記グレーティングが前記ホームポジションにあることを前記ホームポジションセンサが検知するまで前記グレーティングを回転させる第１ホームポジション探索動作を行ない、その後、前記グレーティングを所定角度だけ一定方向へ回転させる退避動作を行ない、当該分光光度計の電源が投入されたときに、前記グレーティングが前記ホームポジションにあることを前記ホームポジションセンサが検知するまで前記第１ホームポジション探索動作よりも細かく前記グレーティングを回転させる第２ホームポジション探索動作を行なうように構成されている。
【０００８】
前記制御部は、前記退避動作において、前記モータの励磁が切れたときに発生する前記グレーティングのずれ量を考慮した角度だけ前記グレーティングを回転させるように構成されていることが好ましい。そうすれば、モータの励磁が切れたときに発生するグレーティングのずれによってグレーティングがホームポジションのどちら側にあるのかがわからなくなるという事態を防止することができる。
【発明の効果】
【０００９】
本発明の分光光度計では、制御部は、ソフトウェア上で電源オフの入力がなされたときに、前記グレーティングが前記ホームポジションにあることを前記ホームポジションセンサが検知するまで前記グレーティングを回転させる第１ホームポジション探索動作を行ない、その後、前記グレーティングを所定角度だけ一定方向へ回転させる退避動作を行ない、当該分光光度計の電源が投入されたときに、前記グレーティングが前記ホームポジションにあることを前記ホームポジションセンサが検知するまで前記第１ホームポジション探索動作よりも細かく前記グレーティングを回転させる第２ホームポジション探索動作を行なうように構成されているので、電源投入後は、第２ホームポジション探索動作のみを実行するだけでホームポジション探索が完了し、ホームポジション探索に要する時間が従来よりも短くなる。
【図面の簡単な説明】
【００１０】
【図１】分光光度計の一実施例を示す概略構成図である。
【図２】同実施例の電源オフ時の動作を示すフローチャートである。
【図３】同実施例の電源オン時の動作を示すフローチャートである。
【発明を実施するための形態】
【００１１】
以下、図面を参照しながら、分光光度計の一実施例について説明する。
【００１２】
図１を用いて一実施例の分光光度計の構成について説明する。
【００１３】
この実施例の分光光度計１は、光源２からの光をグレーティング８によって波長成分ごとに分光し、分光された光のうち測定に用いる波長成分の光をフローセル１４に導いてフローセル１４内を流れる液の吸光度を測定するように構成された前分光方式の吸光分光光度計である。
【００１４】
光源２により発せられた光をフローセル１４に導く光学系として、スリット４、ミラー６、グレーティング８及びミラー１０が設けられている。スリット４を介してミラー６に入射した光はグレーティング８に導かれ、波長成分ごとに分光される。グレーティング８は、測定に用いる波長成分の光がミラー１０へ導かれるようにその位置が調整される。ミラー１０で反射した測定波長の光がフローセル１４へ導かれる。
【００１５】
フローセル１４内には液を流通させるための試料セル１６が設けられている。試料セル１６内は、例えば液体クロマトグラフの分離カラムから溶出した溶出液が流れている。フローセル１４のミラー１０側（図において右側）の面とその反対側（図において左側）の面にはそれぞれ、測定光を透過させる入射窓及び出射窓が設けられている。ミラー１０からの光は入射窓を介して試料セル１６内に入射し、試料セル１６内を通過した光が出射窓から出射する。
【００１６】
フローセル１４の出射窓側に、試料セル１６を通過した光を検出するための光検出器１８が設けられている。光検出器１８は、例えば光電子増倍管である。
【００１７】
グレーティング８は、モータ２０を含むグレーティング駆動機構によって駆動される。グレーティング８の近傍に、グレーティング８がホームポジションにあることを検知するホームポジションセンサ２２が設けられている。ホームポジションセンサ２２は、例えばマイクロスイッチである。ホームポジションセンサ２２の信号は後述する制御部２４に取り込まれる。
【００１８】
分光光度計１には制御部２４が設けられており、制御部２４に演算処理部３０が電気的に接続されている。演算処理部３０は、専用のコンピュータ又は汎用のパーソナルコンピュータによって実現されるものである。光検出器１８の信号は制御部２４を介して演算処理部３０に取り込まれる。演算処理部３０では、光検出器１８からの信号に基づいて試料セル１６を流れる試料の測定波長における吸光度が求められる。ユーザは、演算処理部３０を介して分光光度計１を管理することができ、演算処理部３０に設けられたモニタ上で測定結果を確認することができる。
【００１９】
制御部２４は電源スイッチ部２６とグレーティング位置調整部２８を備えている。
【００２０】
電源スイッチ部２６は、演算処理部３０におけるソフトウェア上でユーザによる電源オフの入力があったときに、その旨の信号を演算処理部３０から受け取り、後述する第１ホームポジション探索動作及び退避動作が実行された後、分光光度計１の電源をオフにするように構成されている。グレーティング８の第１ホームポジション探索動作及び退避動作については後述する。
【００２１】
グレーティング位置調整部２８は、グレーティング８の位置を、グレーティング８により分光された光のうち測定に用いられる光をミラー１０を介してフローセル１４へ導くための所定の位置に位置決めするように構成されている。グレーティング８の所定の位置への位置決めは、まず、ホームポジションセンサ２２からの信号に基づいてグレーティング８を予め決められたホームポジションに位置決めし、そのホームポジションから所定のパルス数だけモータ２０を駆動することによりなされる。
【００２２】
また、グレーティング位置調整部２８は、ユーザにより演算処理部３０を介して電源オフの入力がなされたときに、第１ホームポジション探索動作及び退避動作を実行し、さらに分光光度計１の電源が投入されたときには、第２ホームポジショ探索動作を行なうように構成されている。
【００２３】
分光光度計１の電源オフ時の動作について、図２のフローチャートを図１とともに参照して説明する。
【００２４】
ユーザにより電源オフの入力がソフトウェア上でなされると、グレーティング８がホームポジションにきたことをホームポジションセンサ２２が検知するまで、モータ２０の一定パルス分ずつグレーティング８をホームポジション側（例えば、図１において反時計回り）へ回転させる（第１ホームポジション探索動作）。第１ホームポジション探索動作が完了した後、モータ２０の所定パルス（例えば、数十パルス）分だけ反対側（例えば、図１において時計回り）へグレーティング８を回転させる（退避動作）。退避動作が完了した後、分光光度計１の電源をオフにする。
【００２５】
上記退避動作でのグレーティング８の退避パルス数は、電源がオフにされてモータ２０の励磁が切られたときのグレーティング８のぶれ量を考慮して設定されている。すなわち、モータ２０の励磁が切られた後でグレーティング８の位置がぶれた場合でも、グレーティング８がホームポジションに対してどちら側の位置にあるかが変化しないように、退避パルス数が設定されている。退避パルス数がこのように設定されていないと、後述する第２ホームポジション探索動作において、グレーティング８をどちら側へ移動させればよいのかがわからなくなるからである。
【００２６】
次に、分光光度計１の電源投入時の動作について、図３のフローチャートを図１とともに参照して説明する。
【００２７】
分光光度計１の電源が投入されたときは、上記の上記第１ホームポジション探索動作及び退避動作によって、グレーティング８がホームポジションから一定の方向側（例えば、図１において反時計回り側）へわずかにずれた位置にある。この状態から、グレーティング８がホームポジションにきたことをホームポジションセンサ２２が検知するまで、グレーティング８を、モータ２０の１パルス分ずつホームポジション側へ回転させる（第２ホームポジション探索動作）。
【００２８】
第２ホームポジション探索動作では、第１ホームポジション探索動作よりも細かくグレーティング８を回転させていくことで、グレーティング８を正確にホームポジションに位置決めすることができる。第２ホームポジション探索動作によってグレーティング８をホームポジションに位置決めした後、その位置から予め決められたパルス数だけモータ２０を駆動してグレーティング８を回転させ、グレーティング８を測定用の位置に位置決めする。これにより、測定を行なうための準備動作が完了する。
【００２９】
以上において説明したように、この実施例の分光光度計１は、電源がオフになる前に、グレーティング８がホームポジションの近傍の位置まで回転した状態となっているので、電源が投入された後は、ホームポジションの近傍の位置からグレーティング８を細かく回転させてグレーティング８のホームポジションの正確な位置を短時間で探索することができる。これにより、電源投入後のグレーティング８のホームポジションの探索に要する時間を短縮することができる。
【符号の説明】
【００３０】
２      光源
４      入口スリット
６，１０      ミラー
８      グレーティング
１４      フローセル
１６      試料セル
１８      光検出器
２０      モータ
２２      ホームポジションセンサ
２４      制御部
２６      電源スイッチ部
２８      グレーティング位置調整部
３０      演算制御部
【図１】
2018013412.tif 000003
【図２】
2018013412.tif 000004
【図３】
2018013412.tif 000005